(57)【要約】【課題】頭部運動や足腰運動更に非弱疲労には適量適最＋アルファー「非弱訓練」の出来る日常でないと先行きに身体の崩れと共に立ち上れなく成る生活になると想像される。【解決手段】身近な場所や手軽な用具で好きな時間にいつでも出来る鉄アレイとベルトのセット手法に依って個人がなせる技には健康促進療法の出来るこの運動用具が狙いである。【選択図】　　図１
2004049850.tif 000002
【特許請求の範囲】
【請求項１】
鉄アレイと布地ベルト３本を組合せ結合し更に各要所に部品付けをする事に依って一つの用具に成った一体型吊ベルト（１）と鉄アレイ（５）の組合せ形式の物でこの鉄アレイを組替える事に依ってＡ用具にも成りＢ用具にも成る手軽な手法の運動用具。
【請求項２】
鉄アレイベルトＡ用具とＢ用具の使用目的と狙いとするところの違いは使用範囲に依って全く違うと言えるＡ用具で言うと例えば「首の運動に依って頭のこう着が解れる、首筋を伸ばす、背筋を伸ばす、肩の筋肉を伸ばす」等が上げられる叉Ｂ用具では例えば「足首やアキレスケンを柔らげる、膝の屈折や太ももの筋肉を伸ばす」等身体の弱くなる部分を常に健康維持する為の用具。
【請求項３】
Ａ用具はベルト３本で成り立っている例えば「ベルトの巾３０ｍｍ位　厚さ１．３ｍｍ位　長さ▲１▼１１００ｍｍ、▲２▼７７０ｍｍ、▲３▼３００ｍｍにすると３本のベルトの重さは８０ｇ位である１本１本ベルトの用途が違う事から長さも違って来るがこの程度が一般向けと想定される」１本目は鉄アレイ吊上げベルト（１）にする為に先端は鉄アレイ金具（６）を通し折り返し状にしてその折り返し部分はカギホック（右）（７）（左）（９）と丸型ホック（右）（８）（左）（１０）仕様に依って固定したＡ用具。
【請求項４】
Ａ用具ベルトの２本目は頭に巻く為の頭部ベルト（２）でありベルト前方先端は右、左からのだき合せ状態に成るその部分はマジックテープ（１１，１２）縫込み型に出来ているのでベルトを合せる。
【請求項５】
Ａ用具ベルトの３本目は頭上部分に位置付けるベルト（３）でありこのベルトは（１）と（２）のベルトを安定着用させる為の頭上抜け防止を重視してベルト（３）の前方向先端部はマジックテープ（１３，１４）を縫込み型にする。
【請求項６】
３本の布地ベルト（１，２，３）を一体型運動用具にする為にベルト頭部後面で一部をミシン縫い（４）加工を施し頭上に着用した場合固定と安定が着実である事。
【請求項７】
Ａ用具の２，３頭部ベルトのサイズ調節はマジックテープ１１，１２及びマジックテープ１３，１４の合せ位置を直す事に依ってサイズの変更は可能で有りマジックテープの密着の度合いが大きな特長でもある。
【請求項８】
鉄アレイ（５）そのものは一般的な利用法として腕の上下運動用具として使われているがその鉄アレイを更に健康維持用具に作り上げて身近な使い方及び持ち運びが便利で簡単に組立てられる方法として考案し鉄アレイとベルトの組合わせ加工を施した。
【請求項９】
鉄アレイ（５）の取手部分両端に穴の加工を施し金具を付けてそれが吊ベルト（１）を通す金具（６）となる、例えば「鉄アレイの重量は一般向けには１０００ｋｇ、２０００ｋｇ、３０００ｋｇ、５０００ｋｇ位」が利用範囲と思われるがその重量に対応出来る金具（６）の強度は重要視されるが試作段階で金具の太さは例えば「２ｋで１，２ｍｍ位　５ｋで１，６ｍｍ位」であった。
【請求項１０】
鉄アレイベルト式運動Ｂ用具とは足腰の全体活力運動に役立てる利用方法とするものでＡからＢに鉄アレイを組替える事でその両用技を持った活用法である。
【請求項１１】
Ａ用具吊ベルト（１）から鉄アレイを取り外す事に依って金具（６）付き鉄アレイ（５）本体は単品と成る、これで足掛け用ベルト（１６）に組替えるがベルト（１６）の製作に当って例えば「巾３０ｍｍ位　長さ４３０ｍｍ位にすると１個２０ｇ位の出来上がり」で両足兼用ベルト２個セット、鉄アレイ２個セットにし左右交合運動が出来る為に鉄アレイの金具（６）２ヶ所にベルトをくぐり通うし足の上下運動が出来る使用方法である。
【請求項１２】
足掛用ベルト（１６）は足掛用として製作する事に成るが足を差込んだ状態で足元に密着させる事の出来るベルトの作り方は２重折りの形で左右だき合せにするので長さはある程度の余裕を取る。
【請求項１３】
２重折り形式は鉄アレイ（５）の重量使用範囲を考慮している為であり、ベルト（１６）をはずす事に依って他の運道具に例えば「吊カワ」として活用出来る方法もある。
【請求項１４】
ベルト（１６）の上下合せ部分はマジックテープ（１７，１８）を縫込んでおり運動中にベルトのはずれ防止と足のサイズに対応が出来る長めのマジックテープ（１７，１８）でサイズ調節が簡単である製造方法。
【発明の詳細な説明】
【０００１】
【発明の属する技術分野】鉄アレイと布地ベルト３本を組合せ結合し更に各要所に部品付けをする事に依って一つの用具に成った一体型吊ベルト（１）と鉄アレイ（５）の組合せ形式の物でこの鉄アレイを組替える事に依ってＡ用具にも成りＢ用具にも成る手軽な手法の運動用具。
鉄アレイベルトＡ用具とＢ用具の使用目的と狙いとするとこるの違いは使用範囲に依って全く違うと言えるＡ用具で言うと例えば「首の運動に依って頭のこう着が解れる、首筋を伸ばす、背筋を伸ばす、肩の筋肉を伸ばす」等が上げられる叉Ｂ用具では例えば「足首やアキレスケンを柔らげる、膝の屈折や太ももの筋肉を伸ばす」等身体の弱くなる部分を常に健康維持する為の用具。
Ａ用具はベルト３本で成り立っている例えば「ベルトの巾３０ｍｍ位　厚さ１．３ｍｍ位　長さ▲１▼１１００ｍｍ、▲２▼７７０ｍｍ、▲３▼３００ｍｍにすると３本のベルトの重さは８０ｇ位である１本１本ベルトの用途が違う事から長さも違って来るがこの程度が一般向けと想定される」１本目は鉄アレイ吊上げベルト（１）にする為先端は鉄アレイ金具（６）を通し折り返し状にしてその折り返し部分はカギフォック（７）（９）と丸型フォック（８）（１０）仕様に依って固定したＡ用具。
Ａ用具ベルトの２本目は頭に巻くための頭部ベルト（２）でありベルト前方先端は右、左からのだき合せ状態に成るその部分はマジックテープ（９，１０）縫込み型に出来ているのでベルトを合せる。
Ａ用具ベルトの３本目は頭上部分に位置付けるベルト（３）でありこのベルトは（１）と（２）のベルトを安定着用させる為の頭上抜け防止を重視してベルト（３）の前方向先端部はマジックテープ（１１，１２）を縫込み型にする。
３本の布地ベルト（１，２，３）を一体型運動用具にする為にベルト頭部後面で一部分をミシン縫い（４）加工を施し頭上に着用した場合固定と安定が着実である。
Ａ用具の２、３頭部ベルトのサイズ調節はマジックテープ（１１，１２）及びマジックテープ（１３，１４）の合せ位置を直す事に依ってサイズの変更は可能でありマジックテープの密着の度合いが大きな特長でもある。
ダンベル（５）そのものは一般的な使用法として腕の上下運動用具として使われているがそのダンベルを更に健康維持用具に作り上げて身近な使い方及び持つ運びが便利で簡単に組立てられる方法として考案し鉄アレイとベルトの組合わせ加工を施した。
鉄アレイ（５）の取手部分両端に穴の加工を施し金具を付けてそれが吊ベルト（１）を通す金具（６）となる、例えば「鉄アレイの重量は一般向けには１０００ｋｇ、２０００ｋｇ、３０００ｋｇ、５０００ｋｇ位」が利用範囲と思われるがその重量に対応出来る金具（６）の強度は重要視される試作段階で金具の太さは例えば「２ｋで１，２ｍｍ位　５ｋで１，６ｍｍ位」であった。
鉄アレイベルト運動Ｂ用具とは足腰の全体活力運動に役立てる利用方法とするものでＡからＢに鉄アレイを組替える事でその両用技を持った活用法である。
Ａ用具吊ベルト（１）から鉄アレイを取り外す事に依って金具（６）付き鉄アレイ（５）本体は単品と成る、これで足掛け用ベルト（１６）に組替えるがベルト（１６）の製作に当って例えば「巾３０ｍｍ位　長さ４３０ｍｍ位にすると１個２０ｇ位の出来上がり」で両足兼用ベルト２個セット、鉄アレイ２個セットにし左右交合運動が出来る為に鉄アレイの金具（６）２ヶ所にベルトをくぐり通うし足の上下運動が出来る使用方法である。
足掛用ベルト（１６）は足掛用として製作する事に成るが足を差込んだ状態で足元に密着させることの出来るベルトの作り方で２重折りの形で左右だき合せにするので長さはある程度の余裕を取る。
２重折り形式は鉄アレイ（５）の重量使用範囲を考慮している為であり、ベルト（１６）をはずす事によって他の運道具例えば「吊カワ」として活用出来る方法もある。
ベルト（１６）の上下合せ部分はマジックテープ（１７，１８）を縫込んでおり運動中にベルトのはずれ防止と足のサイズに対応が出来る長めのマジックテープ（１７，１８）でサイズ調節が簡単である製造方法。
【０００２】
【従来の技術】
ＩＰＣ
【０６５〜０７２】の検索では一部類似と思われるヶ所が見られるが形状や形態内容等本開発用具の狙いとする用途内容が明らかに違うと判断している。
【０００３】
【発明が解決しようとする課題】鉄アレイ運動用具は本来一般に腕の上下左右運動が主体とされているその利用範囲は限られていたが更に利用範囲を広くする事に依って身近な場所で肩や首筋を伸ばす運動や足首及び膝の屈折運動さらにアキレスケンや太もも筋の運動不足強化に役立てる用具作りにする為健康維持運動用具開発を進める。
【０００４】
【課題を解決するための手段】鉄アレイと吊ベルトの組合せがポイントで頭部運動や足却運動には重量的に限度が有る一般向け適用範囲は例えば１０００ｋｇ〜５０００ｋｇ位と想定された重さに成る鉄アレイ使用（現状の市販されている物で可能）は４種類（１０００ｋｇ、２０００ｋｇ、３０００ｋｇ、５０００ｋｇ）であれば重量の調節は鉄アレイの連結次第に依って如何様にも可能で有り吊ベルトや金具の強度設定もこの範囲内が耐久設定値と思われる。
【０００５】
【発明の実施の形態】発明の実施の形態を実施例にもとづき図面を参照して説明する。
図１Ａにおいて鉄アレイ（５）を布地ベルト（１）に吊掛けた状態であり運動中の安全を守る為の頭部ベルト（２）頭上ベルト（３）に依って着用安定度も高くマジックテープ（１１，１２，１３，１４）使用部分での頭部サイズ合せを行いながら締付けが出来る又鉄アレイ金具（６）を吊ベルト（１）に固定させる為の金具右（７，８）左（９，１０）に依って実施の形態上問題無し。
【０００６】図２においては布地ベルト全体の各箇所を表したものである。
【０００７】図３においては鉄アレイを追加し重量調節を行う場合の要領を表したものである。
【０００８】図４においては布地ベルトに各部品取付け位置箇所を表したものである。
【０００９】図５Ｂにおいては足にベルトを掛けた時を表しており足掛けするだけと言った簡単な方法で運動が出来る形態である。
【００１０】図６は足掛け行動を始めるとベルトの形状は２つ折りの形態となるサイズ調節も簡単にマジックテープ（１７，１８）部で行えば良い及び下図は鉄アレイ（５）を取付けた実施の形態。
【００１１】図７は鉄アレイの重量各種である一般に使用される範囲であり重量の追加組立ては自由に出来る。
【００１２】
【発明の効果】本発明は、以上説明したように構成されているので以下に記載されるような効果がある。
【００１３】素材が布地ベルトである事に依って頭部着手が良く運動用具として手軽さや持ち運びなど取り扱い方も簡単である。
【００１４】一体型「ベルトと鉄アレイ」に結合させる手順も簡単で更に重量の追加も連結フック（１９）掛けだけで済ませるだけの事。
【００１５】頭の上下運動やひねり運動は「首筋の筋肉、ぼやけた目の疲れ、肩こり、背中のこりを柔らげる」運動に適している。
【００１６】足掛けＢ用具は足首運動、足の上下運動、足腰腹筋運動促進に試作品の利用に依って最適と判った。
【００１７】家庭内での運動が出来る事に寄って運動時間や運動量はそれぞれ個人のペースで何回でも出来る事叉精神的にも「ゆっくりと」独自単独運動が出来る等場所にもあまりこだわる事が無い。
【図面の簡単な説明】
【図１】鉄アレイベルトＡ実施正面図である。
【図２】ベルト正面図である。
【図３】鉄アレイ連結要領を示した図である。
【図４】ベルト部品取付け位置を示した図である。
【図５】足掛けベルトＢ実施正面図である。
【図６】足掛けベルト形状図と鉄アレイ形態図である。
【図７】鉄アレイ範囲と連結フック形状図である。
【符号の説明】
１．吊ベルト　　　　　　　　　　９．カギフォック（左）
２．頭部ベルト　　　　　　　　　１０．丸型フォック（左）
３．頭上ベルト　　　　　　　　　１１．１２．１３．１４マジックテープ
４．ミシン縫い付け部　　　　　　１５．金具穴
５．鉄アレイ　　　　　　　　　　１６．足掛けベルト
６．鉄アレイ金具　　　　　　　　１７．１８マジックテープ
７．カギフォック（右）　　　　　１９．連結フック
８．丸型フォック（右）
【図１】
2004049850.tif 000003
【図２】
2004049850.tif 000004
【図３】
2004049850.tif 000005
【図４】
2004049850.tif 000006
【図５】
2004049850.tif 000007
【図６】
2004049850.tif 000008
【図７】
2004049850.tif 000009